(57)【要約】【課題】画像診断装置で取得する画像データの増大により，全画像を一度に表示することが困難になった。また三次元画像と二次元画像の関連付けが困難な場合が多い。【解決手段】隣接配置した複数台の高精細度画像表示装置を一台の超高精細画像表示装置として機能させ，画像データの選択と画像処理，表示パラメータの変更を一つの操作器で操作可能とした。画像データに対する画像処理の指定，画像表示領域の指定などが可能な計画用サムネイルパネルを備え，事前計画を可能にした。画像データセットを補間する手段を備え，画像データの全体像の把握や複数モダリティ間の画像位置の同期表示を可能にした。読影医の操作記録を報告書と共に配布する手段を備え，報告書と読みながら読影医の操作を再現可能にした。操作記録をテンプレートとして使用し，類似画像データの読影操作に使用可能とした。これらによって画像理解を容易にした医用画像複合観察装置を実現した。【選択図】          図１
2004160103.tif 000002
【特許請求の範囲】
【請求項１】
隣接して配置した複数台の高精細度画像表示装置を一台の超高精細画像表示装置として機能させる手段と，この超高精細画像表示装置を一つのマンマシンインターフェースで操作する手段と，医用画像複合観察装置に表示する一つ以上の医用画像データセットを選択する手段と，医用画像データセットの画像処理で作成した三次元画像を三次元画像表示領域に表示する手段と，医用画像データセットの画像処理で作成した二次元画像セットを二次元画像表示領域に表示する手段と，選択した医用画像データセットに対して実行する画像処理の種類を指定する手段と，画像処理で作成した画像を表示する画像表示領域を指定する手段と，画像処理および画像表示パラメータを指定する手段と，これらの選択および指定内容を編集して保存する手段とを具備した医用画像複合観察装置。
【請求項２】
請求項１において，医用画像データセットの選択と，三次元画像の作成と表示関連処理，二次元画像の作成と表示関連処理を一台のマンマシンインターフェースで操作することを可能にする手段とを具備し，同一の画像データセットから作成した三次元画像と二次元画像セットの同時表示と三次元画像と二次元画像セットの関連付け，複数の画像データセットから作成した三次元画像間および二次元画像セット間の関連付けを可能にし，医用画像データの理解を容易にした医用画像複合観察装置。
【請求項３】
請求項１および請求項２において，医用画像複合観察装置に表示するために選択した一つ以上の医用画像データセットに対して実施した画像処理の結果を表示する画面領域を任意のレイアウトで構成することを可能にする手段と，構成したレイアウトを編集して保存する手段と，保存したレイアウトを読み出して再利用すること可能にする手段とを具備した医用画像複合観察装置。
【請求項４】
請求項３において，医用画像複合観察装置に表示した画像データセットを再度表示する場合に，編集して保存した前回の選択および指定内容を適用する手段を具備し，前回と同じ医用画像データセットを選択し，前回と同じ画像処理を行い，前回と同じ画像表示領域に表示し，前回と同じ画像処理および画像表示パラメータを適用することによって，前回と同じ状態を再現することを可能にした医用画像複合観察装置。
【請求項５】
請求項３において，医用画像複合観察装置に以前に表示した画像データセットと類似した部位の医用画像データセットを表示する場合に，以前に編集して保存した指定内容を適用する手段を具備し，以前と類似した医用画像データセットに対して，以前の表示と同じ画像処理を行い，以前の表示と同じ画像表示領域に表示し，以前の表示と同じ画像処理および画像表示パラメータを適用することによって，以前の表示と類似した状態を実現することを可能にした医用画像複合観察装置。
【請求項６】
請求項１および請求項２，請求項３，請求項４，請求項５において，医用画像データセットの中から二次元画像表示領域に表示する画像データの範囲を画像番号または画像位置によって選択することを可能にする手段と，医用画像データを加算平均するなどの補間手段を使用して割り当てた表示画面の数に対応する表示用医用画像データを作成する手段とを具備した医用画像複合観察装置。
【請求項７】
請求項１および請求項２，請求項３，請求項４，請求項５，請求項６において，同一モダリティまたは複数モダリティによる複数の検査に対して，医用画像データセットの中から二次元画像表示領域に表示する画像データの範囲を画像番号または画像位置によって選択することを可能にする手段と，医用画像データを加算平均するなどの補間手段を使用して指定した画像位置の表示用医用画像データを作成する手段と，この複数の検査に対して作成した表示用画像データ間で画像位置の同期をとりながら画像表示する手段とを具備し，被検者の関心領域の画像を複数モダリティ間で同期させながら観察することを可能にした医用画像複合観察装置。
【請求項８】
請求項１および請求項２，請求項３，請求項４，請求項５，請求項６，請求項７において，医用画像複合観察装置に表示している医用画像データに対して，ウィンドウレベル，ウィンドウ幅，拡大，パンなどの画像表示パラメータを一枚毎に設定することを可能にする手段と，同じ画像表示パラメータを同じ医用画像データセットに含まれる画像データ全体に対して設定することを可能にする手段と，同じパラメータを複数の医用画像データセットに含まれる画像データ全体に対して設定することを可能にする手段と，この画像表示パラメータセットを保存することを可能にする手段と，医用画像データセットを医用画像複合観察装置に表示する場合に保存した画像表示パラメータセットを適用することを可能にする手段とを具備した医用画像複合観察装置。
【請求項９】
請求項８において，医用画像複合観察装置を使用して医師が医用画像データセットの読影を行う時に行った操作パラメータを逐次記録する手段と，その逐次記録した操作パラメータを編集する手段と，医用画像データの画像表示の時にこの保存した操作パラメータを適用する手段とを具備し，この逐次記録した操作パラメータを使用して画像表示操作を再現することを可能にすると共に，次回この医用画像データセットを医用画像複合観察装置に表示する場合に，前回と同じ表示状態と表示プロセスを再現することを可能にした医用画像複合観察装置。
【請求項１０】
請求項９において，医用画像複合観察装置に表示する医用画像データセットに対して，医用画像複合観察装置で作成した読影報告書と共に，あるいは読影報告書と独立して，請求項９において保存した各種のパラメータセットをネットワーク経由でまたはファイルによって配信する手段を具備し，読影報告書を参照する医師が読影医師が読影報告書を作成した経過およびまたは最終の状態を容易に再現することを可能にした医用画像複合観察装置。
【請求項１１】
請求項１および請求項２，請求項３，請求項４，請求項５，請求項６，請求項７，請求項８，請求項９において，医用画像複合観察装置に表示する医用画像データセットに対して，請求項１および請求項２，請求項３，請求項４，請求項５，請求項６，請求項７，請求項８，請求項９において保存した各種のパラメータセットを類似した医用画像データセットに適用する手段を具備し，類似した画像データセットを医用画像複合観察装置に表示する場合に同様の表示状態を実現することを可能にした医用画像複合観察装置。
【請求項１２】
請求項１および請求項２，請求項３，請求項４，請求項５，請求項６，請求項７，請求項８，請求項９，請求項１０，請求項１１において，医用画像データセットに関する読影報告書の作成を支援する手段と，これを超高精細画像表示装置の読影報告書表示領域に表示する手段を具備し，医用画像データセットの画像理解と読影報告者作成を容易にした医用画像複合観察装置。
【発明の詳細な説明】
【０００１】
【発明の属する技術】
本発明は，複数の医用画像データセットから作成した三次元画像と二次元画像セットを一台の超高精細画像表示装置の複数の表示領域に表示し，その三次元画像と二次元画像セットを関連付けることにより医用画像データの画像理解を容易にし，診断プロセスとその伝達の効率を高めることを可能にした医用画像複合観察装置に関する。
【０００２】
【従来の技術】
Ｘ線ＣＴ装置によって人体の物理的性質をあらわす正確な断面画像データが得られるようになった。初期のＸ線ＣＴでは一人の被検者に対して一回の検査で収集される断面画像データの数は１０枚〜２０枚であった。この断面画像データは最適の画像表示をするためにウインドウ処理などの画像処理を行った後，ＣＲＴなどの画像表示装置に表示される。従来の方法では，この画像表示装置に表示される画像をフィルムに順次焼き込む。一枚のフィルムには１２枚程度の画像を焼きこむことができるので，一回の検査で収集した２０枚の画像は２枚のフィルムに焼きこむことができる。従来の画像データの読影方法では，読影を担当する医師はこの２枚のフィルムをライトボックスに取り付けて，一回の検査で収集した２０枚の画像を読影する。また，過去の検査で収集した画像データを焼き込んだフィルムを同時にライトボックスに取り付けて，比較して読影することも行われている。
【０００３】
近年，Ｘ線ＣＴ装置の技術的進歩により，ヘリカルスキャンＸ線ＣＴ装置や多列検出器Ｘ線ＣＴ装置が実用化されるようになったので，断面画像データの断面間距離が狭い，より精密な画像データを取得することが可能になった。また，Ｘ線ＣＴ装置の技術的進歩により，患者への被曝Ｘ線量が大幅に低減された。これにともなって，一回の検査で収集される画像データの枚数が大幅に増加しており，例えば，１０００枚になることがある。
【０００４】
また，Ｘ線ＣＴ装置の技術的進歩により，短時間で画像データを収集することが可能になり，心臓などの拍動している臓器の画像が高画質で取得できるようになった。これにともなって，心臓の拍動を１０分割した各フェーズで画像データを取得する四次元収集も行われている。これによって，一回の検査で収集される画像データの枚数が大幅に増加しており，例えば，４０００枚になることもある。
【０００５】
画像データの大幅増加にともない，従来行われていた画像をフィルムに焼き込む方法では，一回の検査で収集した画像を焼き込んだフィルムの枚数が膨大になり，これらのフィルムの全てをライトボックスに取り付けて，読影することが困難になってきている。
【０００６】
画像データの大幅増加によって，従来行われていた画像を焼き込んだフィルムをライトボックスに取り付けて，読影することが困難になってきているので，多数の画像を一度に表示することができる高精細画像表示装置を複数台並べて，これに一回の検査で収集した画像を順次表示するいわゆる電子ライトボックスが試みられている。しかしながら一台の高精細画像表示装置に表示できる画像枚数は多くても２４枚程度であるので，これを４台並べても一度に表示できる画像枚数は１００枚程度である。このため１０００枚〜４０００枚になる画像を効率よく表示して，読影する方法が求められている。
【０００７】
Ｘ線ＣＴ装置によって人体の物理的性質をあらわす正確な断面画像データが得られるようになって以来，異なる断面位置で撮影した複数の断面画像データを使用して三次元画像を再構成することが行われてきた。特に最近，ヘリカルスキャンＸ線ＣＴ装置や多列検出器Ｘ線ＣＴ装置が実用化されるようになったので，より精密な三次元画像を再構成することが可能になった。
【０００８】
医用画像の三次元表示法には被検体を構成する対象物の境界面を抽出した後，その境界面の形状を表示する表面表示法（サーフェスレンダリング法）と，被検体を物理的性質に対応した値を持つボクセルの三次元配列として取り扱うボリュームレンダリング法がある。三次元画像表示の場合には一般に三次元画像表示に使用する断面画像データの枚数が多いほうが精密な三次元画像を作成することが可能である。Ｘ線ＣＴ装置の技術的進歩により，より多くの枚数の断面画像データを使用して，ますます精密な三次元画像が作成されるようになった。
【０００９】
しかしながら，医用画像データを読影する医師にとって，精密な三次元画像であっても三次元画像表示だけではＸ線ＣＴ画像データの読影が難しい場合が多い。これはこれまでの訓練が二次元画像で行われてきたこと，三次元画像ではウィンドウレベルの設定が形状に影響することがあることなどによる。このためＸ線ＣＴ画像データの読影には三次元画像表示だけでなく，二次元画像表示も要求される。
【００１０】
このため三次元画像表示装置に隣接して，ライトボックスを設置し，三次元画像表示とフィルムによる読影を行っている。また，三次元画像表示装置に隣接して，二次元画像表示装置，いわゆる電子ライトボックスを設置して，三次元画像表示と電子ライトボックスに表示した二次元画像による読影を行っている。しかしながら，これらの場合には，三次元画像表示装置に表示した三次元画像と二次元画像の連携が悪いので，三次元画像と二次元画像の相乗効果は期待できない。
【００１１】
Ｘ線検査やＸ線ＣＴ検査，ＭＲＩ検査などの医用画像検査で得た医用画像の読影では，その被検者の過去の画像検査で得た医用画像との経年的な変化に関する所見が重要である。このため，今回実施した医用画像検査で収集した医用画像と過去の検査で収集した医用画像とを並べて比較することが行われている。ライトボックスにフィルムを並べて行う従来の読影方法では，フィルムの並び替えによって今回と過去の画像を比較することは割合容易であった。しかしながら，二次元画像表示装置で読影する場合には，レイアウトを自由に変更することは難しく，今回と過去の画像を比較することはかなり困難である。最近のＸ線ＣＴ検査やＭＲＩ検査における画像枚数の増加で，比較読影は実務的にますます困難になっている。
【００１２】
医用画像診断では，単独モダリティの画像検査を読影することによって診断するよりも，複数モダリティによる画像検査を行い，それらの画像検査の読影によって得られた所見を比較することで診断効率を向上することができる。このためＸ線検査，Ｘ線ＣＴ検査，ＭＲＩ検査などの医用画像検査で得た医用画像を同時に表示して比較することが要求される。このため，Ｘ線ＣＴ検査で収集したＸ線ＣＴ画像とＭＲＩ検査で収集したＭＲＩ画像とを並べて比較することも必要になる。ライトボックスにフィルムを並べて行う従来の読影方法では，フィルムの並び替えによって二種類の検査の画像を比較することは割合容易であった。しかしながら，二次元画像表示装置で読影する場合には，レイアウトを自由に変更することは難しく，マルチモダリティ間の比較・参照はかなり困難である。また，マルチモダリティによる精密な比較読影を行うためには，それぞれのモダリティの画像位置が一致していることが要求される。しかしながら，モダリティによって画像位置が異なっていることが普通であり，マルチモダリティ間の比較・参照はかなり困難である。
【００１３】
【発明が解決しようとする課題】
三次元画像による被検体の立体構造の把握は二次元画像による把握よりも容易であるので三次元画像表示装置は広く用いられているが，三次元画像で発見した関心領域の確認には二次元画像を使用したいという要求がある。従来は，三次元画像装置に表示されている三次元画像と，二次元画像表示装置に表示されている二次元画像との連携が不十分であったので，三次元画像装置に表示されている三次元画像で発見した関心領域を，二次元画像表示装置に表示されている二次元画像上で特定することは困難であった。
【００１４】
Ｘ線ＣＴ技術の進歩によって，一回の検査で取得される画像データの枚数が増大し，ライトボックス上に全てのフィルムを一度に並べることは不可能になっている。また，二次元画像表示装置に二次元画像を表示する場合でも，全ての画像を一度に並べることは不可能である。このためにこの膨大な二次元画像をどのように取り扱うかが重要な課題になっている。
【００１５】
医用画像検査で収集した医用画像の読影では，その被検者の過去の画像検査で収集した医用画像との経年的な変化に関する所見が重要である。このため，今回実施した医用画像検査で収集した医用画像と過去の検査で収集した医用画像とを並べて比較することが行われているが，最近の医用画像検査における画像枚数の増加によって，比較読影を効率的に実行することは困難になっている。
【００１６】
医用画像診断では複数モダリティによる画像検査を行い，それらの画像検査の読影によって得られた所見を比較することで診断効率を向上することができる。このため複数モダリティによる画像検査で得た医用画像を同時に表示して比較することが要求される。しかしながら，モダリティによって画像位置が異なっていることが多く，複数モダリティの画像の比較・参照はかなり困難である。
【００１７】
【課題を解決するための手段】
本発明は上記の課題を解決するために考案したもので，隣接して配置した複数台の高精細度画像表示装置を一台の超高精細画像表示装置として機能させ，この超高精細画像表示装置を一つのマンマシンインターフェースで操作することを可能にした。医用画像診断装置で収集した複数の二次元画像データで構成される医用画像データセットを使用して三次元画像を構築し，これを超高精細画像表示装置の三次元画像表示領域に表示する。また，この医用画像データセットを構成する二次元画像データに画像処理を施し，これを超高精細画像表示装置の二次元画像表示領域に表示する。医用画像複合観察装置に表示する一つ以上の医用画像データセットの選択と選択した医用画像データセットに対して行う画像処理の種類の指定，画像処理した結果を表示する画像表示領域のレイアウト，三次元画像を作成する医用画像データセットの選択と，三次元画像表示領域に表示する三次元画像の画像処理と画像表示パラメータの変更，医用画像データセットを構成する二次元画像データの中から二次元画像表示領域に表示する二次元画像データの選択，二次元画像表示領域に表示した二次元画像の画像処理と画像表示パラメータの変更を一つのマンマシンインターフェースで操作することを可能にした。
【００１８】
医用画像データセットの選択，選択した医用画像データセットに対して実行する画像処理の指定，画像処理した結果を医用画像複合観察装置のどの画面領域に表示するかの指定，三次元画像の表示関連処理，二次元画像表示領域に表示する二次元画像データの選択，二次元画像の表示関連処理を一つのマンマシンインターフェースで対話的に操作することを可能にしたことにより，同一の医用画像データセットから作成した三次元画像と二次元画像の同時表示と三次元画像と二次元画像の関連付け，また異なる医用画像データセットから作成した三次元画像の同時表示，二次元画像の同時表示，三次元画像間の関連付け，二次元画像間の関連付けを可能にし，医用画像データの画像理解を容易にした医用画像複合観察装置を実現した。
【００１９】
特に，医用画像複合観察装置に表示するために選択した一つ以上の医用画像データセットに対して実施した画像処理の結果を表示する画面領域を任意のレイアウトで構成することを可能にする手段と，構成したレイアウトを編集して保存する手段と，保存したレイアウトを読み出して再利用すること可能にする手段とを設けた。
【００２０】
医用画像複合観察装置に表示した画像データセットを再度表示する場合に，編集して保存した前回の選択および指定内容を適用する機構を備え，前回と同じ医用画像データセットを選択し，前回と同じ画像処理を行い，前回と同じ画像表示領域に表示し，前回と同じ画像処理および画像表示パラメータを適用することによって，前回と同じ状態を再現することを可能にした。
【００２１】
医用画像複合観察装置に以前に表示した画像データセットと類似した部位の医用画像データセットを表示する場合に，以前に編集して保存した指定内容を適用する機構を備え，以前と類似した医用画像データセットに対して，以前の表示と同じ画像処理を行い，以前の表示と同じ画像表示領域に表示し，以前の表示と同じ画像処理および画像表示パラメータを適用することによって，以前の表示と類似した状態を再現することを可能にした。
【００２２】
医用画像データセットの中から二次元画像表示領域に表示する画像データの範囲を選択することを可能にする手段を設け，選択した画像データの枚数がその医用画像データセットに割り当てた表示画面の数よりも多い場合には医用画像データの加算平均などの補間によって割り当てた表示画面の数に対応する表示用医用画像データを作成する手段を備えた。
【００２３】
同一モダリティまたは複数モダリティによる複数の検査に対して，医用画像データセットの中から二次元画像表示領域に表示する画像データの範囲を画像番号または画像位置によって選択することを可能にする手段と，医用画像データの加算平均などの補間によって指定した画像位置の表示用医用画像データを作成する手段と，この複数の検査に対して作成した表示用画像データ間で画像位置の同期をとりながら画像表示する手段を設け，被検者の関心領域の画像を複数モダリティ間で同期させながら観察することを可能にした。
【００２４】
医用画像複合観察装置に表示している医用画像データに対して，ウィンドウレベル，ウィンドウ幅，拡大，パンなどの画像表示パラメータを一枚毎に設定することを可能にする手段と，同じ画像表示パラメータを同じ医用画像データセットに含まれる画像データ全体に対して設定することを可能にする手段と，同じパラメータを複数の医用画像データセットに含まれる画像データ全体に対して設定することを可能にする手段と，この画像表示パラメータセットを保存することを可能にする手段と，医用画像データセットを医用画像複合観察装置に表示する場合に保存した画像表示パラメータセットを適用することを可能にする手段とを備えた。
【００２５】
医用画像複合観察装置を使用して医師が医用画像データセットの読影を行う時に行った操作パラメータを逐次記録する手段と，その逐次記録した操作パラメータを編集する手段と，医用画像データの画像表示の時にこの保存した操作パラメータを適用する手段とを備え，この逐次記録した操作パラメータを使用して画像表示操作を再現することを可能にすると共に，次回この医用画像データセットを医用画像複合観察装置に表示する場合に，前回と同じ表示状態と表示プロセスを再現することを可能にした。
【００２６】
医用画像複合観察装置に表示する医用画像データセットに対して，医用画像複合観察装置で作成した読影報告書と共に，あるいは読影報告書と独立して，保存した各種のパラメータセットをネットワーク経由で，またはファイルによって配信する手段を具備し，読影報告書を参照する医師が読影医師が読影報告書を作成した状態を容易に再現することを可能にした。
【００２７】
医用画像複合観察装置に表示する医用画像データセットに対して，保存した各種のパラメータセットを類似した医用画像データセットに適用する手段を備え，類似した画像データセットを医用画像複合観察装置に表示する場合に同様の表示状態を実現することを可能にした。
【００２８】
医用画像データセットに関する読影報告書の作成を支援する手段と，これを超高精細画像表示装置の読影報告書表示領域に表示する手段を備え，医用画像データセットの画像理解と読影報告者作成を容易にした。
【００２９】
三次元画像表示領域に表示した三次元画像上に関心領域を設定することにより，医用画像データの中から二次元画像表示領域に表示する二次元画像データの範囲を選択することを可能にする手段を備え，三次元画像上で関心領域を移動することにより，医用画像データの中から二次元画像表示領域に表示する二次元画像データを選択することを可能にした。
【００３０】
三次元画像表示領域に表示した三次元画像上に関心領域を設定することにより，二次元画像表示領域に表示した二次元画像の中から対応する二次元画像を選択し，三次元画像上の関心領域に対応する関心領域をその二次元画像上に表示することを可能にする手段を具備し，三次元画像上に設定した関心領域に対応する二次元画像上の対応位置に関心領域を表示することを可能にすることにより，医用画像データの画像理解を容易にした。
【００３１】
医用画像複合観察装置にはマンマシンインターフェースの操作に基づいて，医用画像データの選択，三次元画像処理および画像表示パラメータ，二次元画像表示する画像データの選択，二次元画像処理および画像表示パラメータをネットワーク経由で発行する手段を具備した。医用画像診断装置または医用画像保管通信システム（ＰＡＣＳ）のネットワーク的近傍に，高速の画像処理装置とを設置し，医用画像複合観察装置が発行する指示に基づいて，医用画像データを取得し，これに三次元画像処理と画像表示処理，二次元画像処理と画像表示処理を行い，画像処理した結果をネットワーク経由で医用画像複合観察装置に送信する手段を具備した。これによって，ネットワークトラフィックの軽減と画像処理機能の有効活用を可能にした。
【００３２】
【発明の実施の形態】
以下，本発明による医用画像複合観察装置について説明する。図１は本発明の実施例の構成を示す概略図である。１０１は医用画像複合観察装置の本体である超高精細画像表示装置で，複数の高精細度画像表示装置で構成されている。１１１，１１２，１１３，１１４，１１５，１１６，１１７，１１８は超高精細画像表示装置を構成する複数の高精細度画像表示装置である。例えば，１１２，１１３，１１４，１１６，１１７，１１８は二次元画像表示領域に，１１１は三次元画像表示領域に，１１５は画像データセット設定領域や報告書作成領域に使用する。２０１は医用画像複合観察装置を操作するマンマシンインターフェースである。これは独立している場合も医用画像複合観察装置１０１に統合されている場合もある。２０２はパーソナルコンピュータで，医用画像複合観察装置本体を構成する複数の高精細画像表示装置に映像信号を供給し，マンマシンインターフェース２０１を制御する。２０３はマンマシンインターフェースから高速画像処理装置への指示を示す。３０１は医用画像データの三次元画像処理や二次元画像処理を行う高速画像処理装置である。３０２は高速画像処理装置で処理された表示用三次元画像や表示用二次元画像を示す。４０１はＸ線ＣＴ装置などの医用画像データを発生する医用診断装置，４０２は医用画像データを蓄積しているＰＡＣＳなどの画像データベースを示す。４０３はネットワークである。
【００３３】
医用画像複合観察装置本体１０１は，一例として，画素数１５３６×２０４８の高精細画像表示装置８台で構成されている。例えば，このうち６台を二次元画像表示領域として使用する。画素数５１２×５１２のＸ線ＣＴ画像では，画素数１５３６×２０４８の画像表示装置には１２枚を表示することができるので，６台では７２枚を一度に表示することができる。三次元画像表示領域および画像データセット設定領域・報告書作成領域に，例えば，画素数１５３６×２０４８の高精細画像表示装置をそれぞれ１台割り当てる。
【００３４】
利用者はマンマシンインターフェース２０１を操作して，医用画像複合観察装置で観察する被検者の画像検査データを例えばＰＡＣＳ画像データベース４０２に被検者の名前と検査日を指定して問い合わせる。ＰＡＣＳ画像データベース４０２は該当する画像検査に関する情報を返信する。これには当該被検者の指定検査日に行われた検査に関する情報が含まれており，例えばＸ線ＣＴ検査，ＭＲＩ検査，Ｘ線撮影が行われたことが示される。利用者はその情報から医用画像複合観察装置で観察する画像検査データを選択し，ＰＡＣＳ画像データベース４０２にその画像検査データを要求する。ＰＡＣＳ画像データベース４０２はその画像検査データを高速画像処理装置３０１に送信する。
【００３５】
利用者はマンマシンインターフェース２０１を操作して，医用画像複合観察装置１０１で観察する画像検査データに関する読影計画を作成する。例えば，ＰＡＣＳ画像データベース４０２から取得したＸ線ＣＴ検査のＸ線ＣＴ画像データセット，ＭＲＩ検査のＭＲＩ画像データセット，Ｘ線撮影のＣＲ画像データセットに対する画像処理の内容と画像処理した結果を医用画像複合観察装置にどのように表示するかに関して計画する。
【００３６】
利用者が作成した読影計画に基づいて，高速画像処理装置３０１は指定された画像処理を行い，画像処理の結果３０２をパーソナルコンピュータ２０２に送信する。パーソナルコンピュータ２０２は利用者が作成した読影計画に基づいて，高速画像処理装置から受信した画像処理の結果３０２を医用画像複合観察装置１０１の計画された画面領域に表示する。例えばＸ線ＣＴ画像データセットから作成した三次元画像を画面１１１に，二次元画像を画面１１２，１１３，１１４に，ＭＲＩ画像データセットから作成した二次元画像を画面１１６，１１７，１１８に，ＣＲ画像データセットから作成したＣＲ画像の表示と，画像データセット設定領域・報告書作成領域に画面１１５を使用する。
【００３７】
利用者はマンマシンインターフェース２０１を操作して，三次元画像を表示している画面１１１を選択して，三次元画像処理に関するパラメータを変更する。この変更指示はパーソナルコンピュータ２０２を経由して高速画像処理装置３０１に送信される。高速画像処理装置３０１はこの新しい指示２０３で送られる三次元画像処理パラメータ基づいて画像処理を行い，その結果３０２をパーソナルコンピュータ２０２に送信する。パーソナルコンピュータ２０２は画面１１１に表示されている画像を更新する。
【００３８】
利用者はマンマシンインターフェース２０１を操作して，Ｘ線ＣＴの二次元画像を表示している画面１１２，または１１３，１１４を選択して，二次元画像処理に関するパラメータを変更する。これにはウィンドウレベル，ウィンドウ幅，パン，ズームなどの二次元画像処理が含まれる。また，画面１１２，１１３，１１４に表示する画像データの変更が行われる。例えば，Ｘ線ＣＴ画像データが９０枚あるとすると，画面１１２，１１３，１１４に表示されている画像の枚数はこの例では３６枚であるので，全画像を観察するためには，例えば，一回目には１〜３６枚目，二回目には３７〜７２枚目，三回目には７３〜９０枚目を表示するなどの操作が必要になる。この変更指示はパーソナルコンピュータ２０２を経由して高速画像処理装置３０１に送信される。高速画像処理装置３０１はこの新しい指示２０３で送られる二次元画像処理パラメータ基づいて画像処理を行い，その結果３０２をパーソナルコンピュータ２０２に送信する。パーソナルコンピュータ２０２は画面１１２，１１３，１１４に表示されている画像を更新する。
【００３９】
二次元画像では表示している画像の枚数が多いので，利用者がマンマシンインターフェース２０１を操作して表示している二次元画像の一枚の二次元画像処理に関するパラメータを変更すると，これをすべての二次元画像に適用することを可能にする仕組みを設けている。すなわち，利用者が表示している二次元画像の一枚の二次元画像処理に関するパラメータを変更すると，高速画像処理装置３０１はこの新しい二次元画像処理パラメータ基づいて画面１１２，１１３，１１４に表示されているすべての画像データの画像処理を行い，その結果３０２をパーソナルコンピュータ２０２に送信する。パーソナルコンピュータ２０２は画面１１２，１１３，１１４に表示されているすべての画像を更新する。
【００４０】
利用者はマンマシンインターフェース２０１を操作して，ＭＲＩの二次元画像を表示している画面１１６，または１１７を選択して，二次元画像処理に関するパラメータを変更することによって，同様に選択した画像，または画面１１６，１１７に表示されている画像のすべてを更新することができる。
【００４１】
利用者はマンマシンインターフェース２０１を操作して，ＣＲ画像を表示している画面１１５を選択して，二次元画像処理に関するパラメータを変更することによって，同様に選択した画像，または画面１１５に表示されている画像のすべてを更新することができる。
【００４２】
利用者はマンマシンインターフェース２０１を操作して，報告書作成領域に割り当てた画面１１５を使用して報告書を作成する。作成された報告書は，報告書作成にあたって使用した画像に関する情報とともにパーソナルコンピュータ２０２または高速画像処理装置３０１に保存され，例えば，ＰＡＣＳ画像データベース４０２などの外部データベースに送信され，保存される。
【００４３】
利用者がマンマシンインターフェース２０１を操作して作成した医用画像複合観察装置１０１で観察する画像検査データに関する読影計画，すなわち，ＰＡＣＳ画像データベース４０２から取得したＸ線ＣＴ検査のＸ線ＣＴ画像データセット，ＭＲＩ検査のＭＲＩ画像データセット，Ｘ線撮影のＣＲ画像データセットに関する情報や，それらに対する画像処理の内容と画像処理した結果を医用画像複合観察装置にどのように表示するかに関する計画，また実際に行った画像処理の内容などに関する情報は，その最終時点でのすべての情報，あるいは経時的な変化を含めたすべての情報が記録され，保存される。
【００４４】
この経時的に記録され，保存された情報は編集することが可能である。この情報を使用して，この情報を記録した時と同一の画像データセットに対して，この情報を記録した時の画像データセットの選択，画像処理の内容，画像処理の結果の表示を再現することができる。
【００４５】
この機能によって，例えば依頼科の照会医師が報告書を読むときに，読影医が報告書を作成するときに行った画像処理や画像表示の最終の状態を一瞬で再現することが可能になる。また，報告書をレビューする医師が，読影医が報告書を作成するときに行った画像処理や画像表示の経過を逐次再現することが可能になる。
【００４６】
また，この情報を使用して，この情報を記録した時の画像データセットと類似した画像データセットに対して，この情報を記録した時と同様の内容の画像処理と，画像処理の結果の表示を実現することができる。
【００４７】
この機能は，例えば，Ｘ線ＣＴ検査，ＭＲＩ検査，ＣＲ検査をセットにした同じ部位に対する検査のテンプレートとして使用することが可能であり，報告書作成のワークフローを大幅に改善できる。
【００４８】
これまでの説明では，同一検査日の検査に含まれるＸ線ＣＴ検査，ＭＲＩ検査，ＣＲ検査を読影する例について説明したが，画像診断においては，同一モダリティによる同一部位の経時的な画像検査で得られた画像を比較することが有効である。しかしながら，例えば一年前に検査した胸部Ｘ線ＣＴ検査の画像データの画像位置と今回検査した胸部Ｘ線ＣＴ検査の画像データの画像位置が一致しないことがしばしば発生する。
【００４９】
本発明による医用画像複合観察装置では，Ｘ線ＣＴ検査やＭＲＩ検査の画像データセットからボクセルデータを構築し，体軸方向に二点を設定し，その二点間を等分することによって断面画像の集合を求める機能を設けた。例えば一年前に検査した胸部Ｘ線ＣＴ検査の画像データセットから作成したボクセルデータと，今回検査した胸部Ｘ線ＣＴ検査の画像データセットから作成したボクセルデータを使用し，二つのボクセルデータで同一体軸方向位置の断面データを作成することによって，画像位置が完全に一致する画像を得ることができる。これによって比較読影の精度が向上する。この断面データは体軸方向の断面間隔の範囲のボクセルに対して補間と加算平均を行うことによって求める。
【００５０】
医用画像複合観察装置において，画像データセットに割り当てることができる二次元画像表示画面の数よりも画像データセットに含まれる二次元画像データの数の方が一般に多いので，画像データセットに含まれる二次元画像を一度に観察することが難しいが，この機能を使用することによって，画像データセットの関心領域のデータセットから二次元画像表示画面の数と同じ数の断面画像を作成することが可能で，関心領域全体の把握が容易になる。この断面画像は断面間隔の範囲の画像データの補間と加算平均を行うことによって求めているので，いわゆる間引きとは異なり情報の欠落のない雑音の少ない画像が得られる。
【００５１】
この機能を使用すると，体軸方向に直交した断面だけでなく，体軸方向に傾斜した断面の断面画像を作成することが可能である。これはＭＲＩ画像データとＸ線ＣＴ画像データを比較する場合など，複数モダリティ間の比較に特に有用である。
【００５２】
同一モダリティまたは複数モダリティによる複数の検査に対して，医用画像データセットの中から指定した範囲で指定した画像位置の表示用医用画像データを作成する手段を設け，この複数の検査に対して作成した表示用画像データ間で画像位置の同期をとりながら画像表示することを可能にした。一例として，今回のＸ線ＣＴ検査の１１０枚の画像データの表示のために２４画面，前回のＸ線ＣＴ検査の１００枚の画像データの表示のために２４画面，今回のＭＲＩ検査の９０枚の画像データの表示のために２４画面を割り当て，被検者の関心領域の体軸方向の画像位置の上限と下限を指定し，その間を５０等分した位置の表示用画像をそれぞれ作成する。この表示用画像を複数検査，複数モダリティ間で同期させながら観察することを可能にした。
【００５３】
図２は本発明の実施例の医用画像複合観察装置本体の表示画面を示す説明図である。図３の説明に使用する。
【００５４】
図３は本発明の実施例の医用画像複合観察装置における画像データセットの割付を説明する説明図である。利用者はマンマシンインターフェース２０１を操作して患者名と検査日を指定して画像データベース４０２から医用画像複合観察装置に表示する画像データセットのリストを取得し，５０１画像データセット割付表に表示する。５１１は画像データセットの整理番号，５１２は患者名，５１３は検査番号，５１４はシリーズ番号，５１５はモダリティ，５１６は画像番号，５１７は表示形式，５１８は画像平均化の最初の画像番号または画像位置，５１９は画像平均化の最後の画像番号または画像位置を示す欄である。５２１，５２２，５２３は医用画像複合観察装置画面設定パネルサムネイルの設定例を示す。
【００５５】
図３の例では患者名ＡＡＡの検査番号Ａ１２３４で検査したＸ線ＣＴ検査の画像１１０枚，ＭＲＩ検査の画像９０枚，ＣＲ検査の画像１枚と前回の検査Ｂ５６７８で検査したＸ線ＣＴ検査の画像１００枚を表示することを計画する。５２１，５２２，５２３は図２に示す医用画像複合観察装置の表示画面のサムネイル（縮小画像）である医用画像複合観察装置画面設定パネルの設定例である。５２１は整理番号１のＸ線ＣＴ検査の画像データセットから作成した三次元画像を図２の１１１画面１に，整理番号１のＸ線ＣＴ検査の画像データセットからの二次元画像を図２の１１２画面２と１１６画面６に，整理番号２のＸ線ＣＴ検査の画像データセットからの二次元画像を図２の１１３画面３と１１７画面７に，整理番号３のＭＲＩ検査の画像データセットからの二次元画像を図２の１１４画面４と１１８画面８に表示している。また，整理番号４のＣＲ検査の画像データセットから作成した二次元画像を図２の１１５画面５に表示している。１１５画面５は整理番号５の報告書の作成と表示にも使用される。
【００５６】
５２２は他の設定例である。整理番号１のＸ線ＣＴ検査の画像データセットから作成した三次元画像を図２の１１１画面１に表示する。整理番号１のＸ線ＣＴ検査の画像データセットからの二次元画像を図２の１３４列４と１３７列７と１４０列１０に，整理番号２のＸ線ＣＴ検査の画像データセットからの二次元画像を図２の１３５列５と１３８列８と１４１列１１に，整理番号３のＭＲＩ検査の画像データセットからの二次元画像を図２の１３６列６と１３９列９と１４２列１２に表示している。また，整理番号４のＣＲ検査の画像データセットから作成した二次元画像を図２の１１５画面５に表示している。１１５画面５は整理番号５の報告書の作成と表示にも使用される。
【００５７】
５２３は他の設定例である。整理番号１のＸ線ＣＴ検査の画像データセットから作成した三次元画像を図２の１１１画面１に表示される。１１２画面２，１１３画面３，１１４画面４，１１６画面６，１１７画面７，１１８画面８の６画面を使用して，整理番号１のＸ線ＣＴ検査の画像データセットから作成した二次元画像をこの６画面の１５１行１，１５３行３，１５５行５に，整理番号２のＸ線ＣＴ検査の画像データセットからの二次元画像をこの６画面の１５２行２，１５４行４，１５６行６に，整理番号３のＭＲＩ検査の画像データセットからの二次元画像をこの６画面の１５７列行７と１１５８行８に表示している。また，整理番号４のＣＲ検査の画像データセットから作成した二次元画像を図２の１１５画面５に表示している。１１５画面５は整理番号５の報告書の作成と表示にも使用される。
【００５８】
このように，医用画像複合観察装置の表示画面のサムネイル（縮小画像）である医用画像複合観察装置画面設定パネルを使用することによって，医用画像複合観察装置の表示画面に表示する画像データセットのレイアウトをあらかじめ計画することができる。
【００５９】
医用画像データセットの中から二次元画像表示領域に表示する画像データの範囲を選択することを可能にする手段を具備し，選択した画像データの枚数がその医用画像データセットに割り当てた表示画面の数よりも多い場合には医用画像データを加算平均などの補間によって割り当てた表示画面の数に対応する表示用医用画像データを作成する手段を備えた。図３の５１８は画像平均化の最初の画像番号または画像位置，５１９は画像平均化の最後の画像番号または画像位置を示す欄である。
【００６０】
本発明による医用画像複合観察装置では，Ｘ線ＣＴ検査やＭＲＩ検査の画像データセットからボクセルデータを構築し，体軸方向で二点を設定し，その二点間を等分することによって断面画像の集合を求める機能を設けた。例えば一年前に検査した胸部Ｘ線ＣＴ検査の画像データセットから作成したボクセルデータと，今回検査した胸部Ｘ線ＣＴ検査の画像データセットから作成したボクセルデータを使用し，二つのボクセルデータで同一体軸方向位置の断面データを作成することによって，画像位置が完全に一致する画像を得ることができる。これによって比較読影の精度が向上する。この断面データは体軸方向に断面間隔の範囲のボクセルに対して補間と加算平均を行うことによって求める。
【００６１】
医用画像複合観察装置において，画像データセットに割り当てることができる二次元画像表示画面の数よりも画像データセットに含まれる二次元画像データの数の方が一般に多いので，画像データセットに含まれる二次元画像を一度に観察することが難しいが，この機能を使用することによって，画像データセットの関心領域のデータセットから二次元画像表示画面の数と同じ数の断面画像を作成することが可能で，関心領域全体の把握が容易になる。この断面画像は断面間隔の範囲の画像データの補間と加算平均を行うことによって求めているので，いわゆる間引きとは異なり情報の欠落のない雑音の少ない画像が得られる。
【００６２】
【実施例】
これまでの説明では，図１のパーソナルコンピュータ２０２と高速画像処理装置３０１は独立したものとして説明したが，このパーソナルコンピュータ２０２と高速画像処理装置３０１は一体化することができる。また，超高精細画像表示装置１０１とパーソナルコンピュータ２０２を一体化することができる。また超高精細画像表示装置１０１とパーソナルコンピュータ２０２と高速画像処理装置３０１を一体化することができる。医用画像複合観察装置１０１を操作するマンマシンインターフェース２０１は医用画像複合観察装置１０１と独立していることも，医用画像複合観察装置１０１と一体化することも可能である。
【００６３】
医用画像データセットの選択と，三次元画像の作成と表示関連処理，二次元画像の作成と表示関連処理を一台のマンマシンインターフェースで操作することを可能にすることによって，同一の画像データセットから作成した三次元画像と二次元画像セットの同時表示と三次元画像と二次元画像セットの関連付け，複数の画像データセットから作成した三次元画像間および二次元画像セット間の関連付けを可能にし，医用画像データの理解を容易にした。
【００６４】
医用画像複合観察装置に表示するために選択した一つ以上の医用画像データセットに対して実施した画像処理の結果を表示する画面領域を任意のレイアウトで構成することを可能にする手段と，構成したレイアウトを編集してサムネイル（縮小画像）として保存する手段と，保存したサムネイル（縮小画像）を読み出して再利用すること可能にする手段とを具備した。
【００６５】
医用画像複合観察装置に表示した画像データセットを再度表示する場合に，編集して保存した前回の選択および指定内容を適用する機構を備え，前回と同じ医用画像データセットを選択し，前回と同じ画像処理を行い，前回と同じ画像表示領域に表示し，前回と同じ画像処理および画像表示パラメータを適用することによって，前回と同じ状態を再現することを可能にした。
【００６６】
医用画像複合観察装置に以前に表示した画像データセットと類似した部位の医用画像データセットを表示する場合に，以前に編集して保存した指定内容を適用する手段を具備し，以前と類似した医用画像データセットに対して，以前の表示と同じ画像処理を行い，以前の表示と同じ画像表示領域に表示し，以前の表示と同じ画像処理および画像表示パラメータを適用することによって，以前の表示と類似した状態を再現することを可能にした。
【００６７】
医用画像データセットの中から二次元画像表示領域に表示する画像データの範囲を画像番号または画像位置によって選択することを可能にする手段と，医用画像データを加算平均するなどの補間手段を使用して割り当てた表示画面の数に対応する表示用医用画像データを作成する手段とを備えた。
【００６８】
同一モダリティまたは複数モダリティによる複数の検査に対して，医用画像データセットの中から二次元画像表示領域に表示する画像データの範囲を画像番号または画像位置によって選択することを可能にする手段と，医用画像データを加算平均するなどの補間手段を使用して指定した画像位置の表示用医用画像データを作成する手段と，この複数の検査に対して作成した表示用画像データ間で画像位置の同期をとりながら画像表示する手段を設け，被検者の関心領域の画像を複数モダリティ間で同期させながら観察することを可能にした。
【００６９】
医用画像複合観察装置に表示している医用画像データに対して，ウィンドウレベル，ウィンドウ幅，拡大，パンなどの画像表示パラメータを一枚毎に設定することを可能にする手段と，同じ画像表示パラメータを同じ医用画像データセットに含まれる画像データ全体に対して設定することを可能にする手段と，同じパラメータを複数の医用画像データセットに含まれる画像データ全体に対して設定することを可能にする手段と，この画像表示パラメータセットを保存することを可能にする手段と，医用画像データセットを医用画像複合観察装置に表示する場合に保存した画像表示パラメータセットを適用することを可能にする手段を備えた。
【００７０】
医用画像複合観察装置を使用して医師が医用画像データセットの読影を行う時に行った操作パラメータを逐次記録する手段と，その逐次記録した操作パラメータを編集する手段と，医用画像データの画像表示の時にこの保存した操作パラメータを適用する手段とを具備し，この逐次記録した操作パラメータを使用して画像表示操作を再現することを可能にすると共に，次回この医用画像データセットを医用画像複合観察装置に表示する場合に，前回と同じ表示状態と表示プロセスを再現することを可能にした。
【００７１】
医用画像複合観察装置に表示する医用画像データセットに対して，医用画像複合観察装置で作成した読影報告書と共に，あるいは読影報告書と独立して，保存した各種のパラメータセットをネットワーク経由でまたはファイルによって配信する手段を具備し，読影報告書を参照する医師が読影医師が読影報告書を作成した状態を容易に再現することを可能にした。
【００７２】
医用画像複合観察装置に表示する医用画像データセットに対して，保存した各種のパラメータセットを類似した医用画像データセットに適用する手段を具備し，類似した画像データセットを医用画像複合観察装置に表示する場合に同様の表示状態を実現することを可能にした。
【００７３】
医用画像データセットに関する読影報告書の作成を支援する手段と，これを超高精細画像表示装置の読影報告書表示領域に表示する手段を具備し，医用画像データセットの画像理解と読影報告者作成を容易にした。
【００７４】
【発明の効果】
本発明は隣接して配置した複数台の高精細度画像表示装置を一台の超高精細画像表示装置として機能させ，これに多数の医用画像を表示することとを可能にした。医用画像診断装置で収集した医用画像データを使用して三次元画像を構築し，これを超高精細画像表示装置の三次元画像表示領域に表示することを可能にし，また，この医用画像データを構成する複数の二次元医用画像データに画像処理を施し，これを超高精細画像表示装置の二次元画像表示領域に表示することを可能にした。医用画像データの選択，三次元画像表示領域に表示した三次元画像の画像処理と画像表示パラメータの変更，医用画像データを構成する二次元画像データから表示する画像データの選択，二次元画像表示領域に表示した二次元画像の画像処理と画像表示パラメータの変更を一台のマンマシンインターフェースで操作することを可能にした。これによって，三次元画像と二次元画像を同時に表示することが可能となり，三次元画像と二次元画像を関連付けることが可能になり，医用画像データの画像理解を容易にした医用画像複合観察装置を実現することができた。
【００７５】
医用画像データセットの選択，選択した医用画像データセットに対して実行する画像処理の指定，画像処理した結果を医用画像複合観察装置のどの画面領域に表示するかの指定，三次元画像の表示関連処理，二次元画像表示領域に表示する二次元画像データの選択，二次元画像の表示関連処理を一台のマンマシンインターフェースで対話的に操作することを可能にすることにより，同一の医用画像データセットから作成した三次元画像と二次元画像の同時表示と三次元画像と二次元画像の関連付け，また異なる医用画像データセットから作成した三次元画像の同時表示，二次元画像の同時表示，三次元画像間の関連付け，二次元画像間の関連付けを可能にし，医用画像データの画像理解を容易にした医用画像複合観察装置を実現した。特に，医用画像複合観察装置に表示するために選択した一つ以上の医用画像データセットに対して実施した画像処理の結果を表示する画面領域を任意のレイアウトで構成することを可能にする手段と，構成したレイアウトを編集して保存する手段と，保存したレイアウトを読み出して再利用すること可能にする手段とを設けた。
【００７６】
医用画像複合観察装置に表示した画像データセットを再度表示する場合に，編集して保存した前回の選択および指定内容を適用する機構を備え，前回と同じ医用画像データセットを選択し，前回と同じ画像処理を行い，前回と同じ画像表示領域に表示し，前回と同じ画像処理および画像表示パラメータを適用することによって，前回と同じ状態を単純な手続きで一瞬に再現することを可能にした。
【００７７】
医用画像複合観察装置に以前に表示した画像データセットと類似した部位の医用画像データセットを表示する場合に，以前に編集して保存した指定内容を適用する機構を備え，以前と類似した医用画像データセットに対して，以前の表示と同じ画像処理を行い，以前の表示と同じ画像表示領域に表示し，以前の表示と同じ画像処理および画像表示パラメータを適用することによって，以前の表示と類似した状態を再現することを可能にした。
【００７８】
医用画像データセットの中から二次元画像表示領域に表示する画像データの範囲を選択することを可能にする手段を具備し，選択した画像データの枚数がその医用画像データセットに割り当てた表示画面の数よりも多い場合には医用画像データを加算平均することによって割り当てた表示画面の数に対応する表示用医用画像データを作成する手段を備えた。
【００７９】
同一モダリティまたは複数モダリティによる複数の検査に対して，医用画像データセットの中から二次元画像表示領域に表示する画像データの範囲を画像番号または画像位置によって選択することを可能にする手段と，医用画像データを加算平均するなどの補間手段を使用して指定した画像位置の表示用医用画像データを作成する手段と，この複数の検査に対して作成した表示用画像データ間で画像位置の同期をとりながら画像表示する手段を具備し，被検者の関心領域の画像を複数モダリティ間で同期させながら観察することを可能にした。
【００８０】
医用画像複合観察装置に表示している医用画像データに対して，ウィンドウレベル，ウィンドウ幅，拡大，パンなどの画像表示パラメータを一枚毎に設定することを可能にする手段と，同じ画像表示パラメータを同じ医用画像データセットに含まれる画像データ全体に対して設定することを可能にする手段と，同じパラメータを複数の医用画像データセットに含まれる画像データ全体に対して設定することを可能にする手段と，この画像表示パラメータセットを保存することを可能にする手段と，医用画像データセットを医用画像複合観察装置に表示する場合に保存した画像表示パラメータセットを適用することを可能にする手段とを具備した。
【００８１】
医用画像複合観察装置を使用して医師が医用画像データセットの読影を行う時に行った操作パラメータを逐次記録する手段と，その逐次記録した操作パラメータを編集する手段と，医用画像データの画像表示の時にこの保存した操作パラメータを適用する手段とを具備し，この逐次記録した操作パラメータを使用して画像表示操作を再現することを可能にすると共に，次回この医用画像データセットを医用画像複合観察装置に表示する場合に，前回と同じ表示状態を再現することを可能にした。
【００８２】
医用画像複合観察装置に表示する医用画像データセットに対して，医用画像複合観察装置で作成した読影報告書と共に，あるいは読影報告書と独立して，保存した各種のパラメータセットをネットワーク経由であるいはファイルによって配信する手段を具備し，読影報告書を参照する医師が読影医師が読影報告書を作成した状態を容易に再現することを可能にした。
【００８３】
医用画像複合観察装置に表示する医用画像データセットに対して，保存した各種のパラメータセットを類似した医用画像データセットに適用する手段を具備し，類似した画像データセットを医用画像複合観察装置に表示する場合に同様の表示状態を実現することを可能にした。
【００８４】
医用画像複合観察装置は，医用画像データに関する読影報告書の作成を支援し，これを超高精細画像表示装置の読影報告書表示領域に表示する手段を具備した。医用データの三次元画像表示と二次元画像表示を関連付けることができたので，医用画像データの画像理解が容易になり，読影報告書の作成が容易になった。
【図面の簡単な説明】
【図１】本発明による実施例の構成を示す概略図。
【図２】本発明による実施例の医用画像複合観察装置本体の概略図。
【図３】本発明による実施例の説明図。
【符号の説明】
１０１  医用画像複合観察装置本体
１１１  医用画像複合観察装置の画面１
１１２  医用画像複合観察装置の画面２
１１３  医用画像複合観察装置の画面３
１１４  医用画像複合観察装置の画面４
１１５  医用画像複合観察装置の画面５
１１６  医用画像複合観察装置の画面６
１１７  医用画像複合観察装置の画面７
１１８  医用画像複合観察装置の画面８
１３１  医用画像複合観察装置の画面の列１
１３２  医用画像複合観察装置の画面の列２
１３３  医用画像複合観察装置の画面の列３
１３４  医用画像複合観察装置の画面の列４
１３５  医用画像複合観察装置の画面の列５
１３６  医用画像複合観察装置の画面の列６
１３７  医用画像複合観察装置の画面の列７
１３８  医用画像複合観察装置の画面の列８
１３９  医用画像複合観察装置の画面の列９
１４０  医用画像複合観察装置の画面の列１０
１４１  医用画像複合観察装置の画面の列１１
１４２  医用画像複合観察装置の画面の列１２
１５１  医用画像複合観察装置の画面の行１
１５２  医用画像複合観察装置の画面の行２
１５３  医用画像複合観察装置の画面の行３
１５４  医用画像複合観察装置の画面の行４
１５５  医用画像複合観察装置の画面の行５
１５６  医用画像複合観察装置の画面の行６
１５７  医用画像複合観察装置の画面の行７
１５８  医用画像複合観察装置の画面の行８
２０１  マンマシンインターフェース
２０２  パーソナルコンピュータ
２０３  パーソナルコンピュータが発行する指示
３０１  高速画像処理装置
３０２  高速画像処理装置の処理結果
４０１  画像診断装置
４０２  ＰＡＣＳなどの画像データベース
４０３  ネットワーク
５０１  画像データセット割付表
５１１  画像データセット整理番号
５１２  画像データセット患者氏名
５１３  画像データセット検査番号
５１４  画像データセットシリーズ番号
５１５  画像データセットモダリティ
５１６  画像データセット画像番号
５１７  画像データセット表示形式
５１８  画像データセット表示開始画像番号または画像位置
５１９  画像データセット表示終了画像番号または画像位置
５２１  医用画像複合観察装置画面設定パネルサムネイルの設定例
５２２  医用画像複合観察装置画面設定パネルサムネイルの設定例
５２３  医用画像複合観察装置画面設定パネルサムネイルの設定例
【図１】
2004160103.tif 000003
【図２】
2004160103.tif 000004
【図３】
2004160103.tif 000005